(57)【特許請求の範囲】
【請求項１】
第１モードにおいて第１のウェブ及び第２のウェブを同時に印刷しかつ第２モードにおいて第３のウェブを印刷するためのウェブ輪転印刷機において、
第２のウェブの第１の側及び第１のウェブの第２の側に又は第３のウェブの両側に選択的に印刷するための手段が設けられており、該手段が、第１のＢＢ形印刷ユニットを有しており、該第１のＢＢ形印刷ユニットが、第１モードにおいて、第２のウェブの印刷されない第１の側と第１のウェブの印刷されない第２の側とが互いに重なり合いながら第１及び第２のウェブを受け取り、第１のＢＢ形印刷ユニットが、第１のウェブの第１の側において印刷しかつ第２のウェブの第２の側において印刷し、第２モードにおいて、第３のウェブが第１のＢＢ形印刷ユニットに供給され、該第１のＢＢ形印刷ユニットが第３のウェブの両側において印刷し、
第１モードにおいて第２のウェブの第１の側に別の色を印刷する第１の別の印刷ユニットが設けられており、
第１モードにおいて第１のウェブの第２の側に別の色を印刷する第２の別の印刷ユニットが設けられており、
第１モードにおいて第１のウェブを第１の別の印刷ユニットを回避するように案内する第１の案内手段が設けられており、
第１モードにおいて第２のウェブを第２の別の印刷ユニットを回避するように案内する第２の案内手段が設けられていることを特徴とする、ウェブ輪転印刷機。
【請求項２】
第１、第２及び第３のウェブが、印刷機の上流部分から下流部分へ印刷機を通過するようになっており、第１及び第２の別の印刷ユニットが第１のＢＢ形印刷ユニットの下流に配置されている、請求項１記載の印刷機。
【請求項３】
第１のＢＢ形印刷ユニットの上流に配置された、第２及び第３のＢＢ形印刷ユニットが設けられており、第１モードにおいて、第１、第２及び第３のＢＢ形印刷ユニットのそれぞれが、第１のウェブの第１の側と第２のウェブの第２の側とに、黄、マゼンタ及びシアンから成るグループから選択された色の異なる印像を提供するようになっており、第２モードにおいて、第１、第２及び第３のＢＢ形印刷ユニットのそれぞれが、第３のウェブの両側に、黄、マゼンタ及びシアンから成るグループから選択された色の異なる印像を提供するようになっている、請求項２記載の印刷機。
【請求項４】
第１モードにおいて、第１の別の印刷ユニットが、第２のウェブの第１及び第２の側のそれぞれに単色の印像を提供する、請求項３記載の印刷機。
【請求項５】
第１モードにおいて、第１の別の印刷ユニットが、第２のウェブの第２の側に、シアン、マゼンタ、黄色及び黒から成るグループから選択された色のうちの１つを含む多色印像を提供し、第２のウェブの第１の側に黒色の印像を提供する、請求項４記載の印刷機。
【請求項６】
第１モードにおいて、第２の別の印刷ユニットが、第１のウェブの第２及び第２の側に単色の印像を提供する、請求項３記載の印刷機。
【請求項７】
第１モードにおいて、第２の別の印刷ユニットが、第１のウェブの第１の側に、シアン、マゼンタ、黄及び黒から成るグループから選択された色の１つを含む多色印像を提供し、ウェブの第２の側に黒色の印像を提供する、請求項６記載の印刷機。
【請求項８】
第１の別の印刷ユニットが、第１モードにおいて、第２のウェブの第１の側に様々な印像を印刷するためのインプリンタ印刷ユニットである、請求項１記載の印刷機。
【請求項９】
第２の別の印刷ユニットが、第１モードにおいて、第１のウェブの第２の側に様々な印像を印刷するためのインプリンタ印刷ユニットである、請求項１記載の印刷機。
【請求項１０】
印刷機が新聞印刷機である、請求項１記載の印刷機。
【請求項１１】
第１のＢＢ形印刷ユニットの上流に第３の案内手段が設けられており、第１モードにおいて、第３の案内手段が、ＢＢ形印刷ユニットに第１及び第２のウェブを供給する前に第１及び第２のウェブを互いに重ね合わせて配置するようになっている、請求項１記載の印刷機。
【請求項１２】
第３の案内手段がローラを含む、請求項１１記載の印刷機。
【請求項１３】
第１及び第２の案内手段がローラを含む、請求項１記載の印刷機。
【請求項１４】
第１のウェブの幅が第２のウェブの幅よりも小さい、請求項１記載の印刷機。
【請求項１５】
第２のウェブの幅が第１のウェブの幅よりも小さい、請求項１記載の印刷機。
【請求項１６】
第１のＢＢ形印刷ユニットと、第１及び第２の別の印刷ユニットとが、第１モードにおいて第１及び第２のウェブが実質的に鉛直方向に走行し、第２モードにおいて第３のウェブが実質的に鉛直方向に走行するように配置されている、請求項１記載の印刷機。
【請求項１７】
第１のＢＢ形印刷ユニットと、第１及び第２の別の印刷ユニットとが、第１モードにおいて第１及び第２のウェブが実質的に水平方向に走行し、第２モードにおいて第３のウェブが実質的に水平方向に走行するように配置されている、請求項１記載の印刷機。
【請求項１８】
第１のＢＢ形印刷ユニットを有する印刷機を運転する方法において、
第１モードにおいて、第１のウェブの印刷されない第２の側と第２のウェブの印刷されない第１の側とが互いに重なり合って位置するように第１のウェブ及び第２のウェブを配置し、
互いに重なり合って配置された第１及び第２のウェブを、第１のウェブの第１の側に第１の着色印像を印刷しかつ第２のウェブの第２の側に第２の着色印像を印刷するためにＢＢ形印刷ユニットへ供給し、
第１及び第２のウェブを互いから分離させ、
第１のウェブの第２の側に第３の印像を、第２のウェブの第１の側に第４の印像を印刷し、
第２モードにおいて、ウェブの両側に印刷するためのＢＢ形印刷ユニットに第３のウェブを供給することを特徴とする、第１のＢＢ形印刷ユニットを有する印刷機を運転する方法。
【請求項１９】
第３の印像が、ＢＢ形印刷ユニットの下流に配置された第１の別の印刷ユニットにおいて印刷され、第４の印像が、ＢＢ形印刷ユニットの下流に配置された第２の別の印刷ユニットにおいて印刷され、第１のウェブが第１の別の印刷ユニットを回避するように案内され、第２のウェブが第２の別の印刷ユニットを回避するように案内される、請求項１８記載の方法。
【発明の詳細な説明】
【０００１】
【発明の属する技術分野】
本発明は、第１モードの場合に第１及び第２のウェブを同時に印刷しかつ択一的に第２モードの場合に第３の単一のウェブを印刷するためのウェブ輪転印刷機及び２つのウェブを同時に印刷する方法に関する。
【０００２】
【従来の技術】
本出願人によって製造及び販売されているＭ６００、Ｍ１０００及びＭ３０００シリーズ印刷機から、単一の紙ウェブの両側に個々の多色印像、例えば４色印像を印刷することが知られている。多色印像は、一般的に使用される“ＢＢ形”印刷ユニットによって単一のウェブの両側に印刷される。前記ＢＢ形印刷ユニットにはウェブが通される。
【０００３】
上に述べた印刷機は、２つの紙ウェブに同時に、各ウェブの一方の側に多色印像を、他方の側に単色印像を印刷することができないので不都合である。２つの紙ウェブの同時印刷は、しばしば、特に新聞印刷における印刷ジョブに望まれる。このように、前記印刷機は、単一のウェブの両側に多色印像を印刷する場合には高い印刷の質及び比較的速い速度を提供するが、増大した速度でウェブの一方の側に多色印像が、他方の側に単色印像が印刷される高い質の印刷ジョブを行うことができない。
【０００４】
【発明が解決しようとする課題】
したがって、本発明の課題は、単一の紙ウェブの両側に多色印像を印刷することができ、択一的に、２つのウェブの一方の側に多色印像を印刷することができるようなウェブ輪転印刷機を提供することである。
【０００５】
【課題を解決するための手段】
本発明の第１の特徴によれば、第１モードの場合に第１及び第２のウェブを同時に印刷し、択一的に第２モードの場合に第３の単一のウェブを印刷するためのウェブ輪転印刷機、有利には平版新聞印刷機は、少なくとも１つのＢＢ形印刷ユニットを有していて、このＢＢ形印刷ユニットに、第１モードの場合に第１のウェブの個々の第１の側と第２のウェブの個々の第２の側とにおいて印刷されるために第１及び第２のウェブが重なり合って供給されかつ択一的に第２モードの場合に第３の単一のウェブが両側において印刷されるために供給される。さらに、印刷機は、第１の別の印刷ユニットと第２の別の印刷ユニットとを有している。第１モードの場合に、第１のウェブを前記第１の別の印刷ユニットを回避するように案内するための第１の案内手段と、第２のウェブを前記第２の別の印刷ユニットを回避するように案内するための第２の案内手段とが設けられている。
【０００６】
本発明の典型的な特徴によれば、少なくとも２つの別のＢＢ形印刷ユニットが設けられており、この場合、前記ＢＢ形印刷ユニットのそれぞれが、第１及び第２モードの場合に、処理されるウェブの個々の第１及び第２の側のそれぞれに、黄、マゼンタ、シアン又は黒のうちの一色のそれぞれ異なる印像を提供するようになっている。
【０００７】
本発明の別の特徴によれば、第１及び第２の別の印刷ユニットは、第１モードの場合に、ウェブの各側に単色印像を、有利には第２のウェブの個々の第１及び第２の側と、第１のウェブの個々の第１及び第２の側とに黒色印像を提供する。
【０００８】
本発明の別の典型的な特徴によれば、第１及び第２の別の印刷ユニットは、第１及び／又は第２のウェブの個々の側に様々な印像を印刷するためのインプリント印刷ユニットである。
【０００９】
本発明の別の特徴によれば、第１及び第２のウェブを重ね合わせてこれらのウェブを重なり合ったウェブとして第１のＢＢ形印刷ユニットへ供給するための、走入する２つのウェブを備えた第１のＢＢ形印刷ユニットの上流に第３の案内手段、有利には公知のローラが配置されている。
【００１０】
本発明の別の特徴によれば、第１のウェブと第２のウェブとが互いに異なる幅を有していることができる。
【００１１】
本発明の別の典型的な特徴の場合には、ＢＢ形印刷ユニットと第１及び第２の別の印刷ユニットとは、第１及び第２、及び択一的に第３のウェブがほぼ鉛直方向に走行するように配置されている。しかしながら、ウェブがほぼ水平方向に走行するように印刷ユニットを配置することも可能である。
【００１２】
本発明の別の特徴によれば、ウェブ輪転印刷機、有利には平版新聞印刷機において第１及び第２のウェブを同時に印刷する方法は、第１及び第２のウェブを重ね合わせて配置し、これらのウェブを、第１のウェブの第１の側に第１の着色印像を、第２のウェブの第２の側に第２の着色印像を印刷するためにＢＢ形印刷ユニットへ供給し、第１及び第２のウェブ互いから分離させて第１のウェブの第２の側に第３の印像を、第２のウェブの第１の側に第４の印像を印刷する。本発明のこの特徴の場合には、第３及び第４の印像は、前記ＢＢ形印刷ユニットの下流に配置された第１及び第２の印刷ユニットにおいて印刷されると有利であり、この場合、第１のウェブは、第１の別の印刷ユニットを回避するように案内され、第２のウェブは、第２の別の印刷ユニットを回避するように案内される。
【００１３】
【発明の効果】
本発明の利点は、１つのモードの場合には、いわゆる４／４−印刷ジョブを印刷することができ、また択一的に別のモードの場合には、単一のジョブにおいて２倍のページ生産速度でいわゆる４／１印刷ジョブ及びいわゆる１／４印刷ジョブを印刷することができることである。
【００１４】
本発明の別の利点は、本発明の実現が、３つよりも多いＢＢ形印刷ユニットを有する、走行する紙ウェブに着色印像を直接に提供するための従来公知のウェブ印刷機、例えば平版ウェブ印刷機に僅かな変更しか必要としないことである。
【００１５】
【発明の実施の形態】
以下に本発明の実施の形態を図面につき詳しく説明する。
【００１６】
図１に示したように、公知のウェブ輪転印刷機、特に新聞を印刷するための平版輪転印刷機は、様々な公知のＢＢ形印刷ユニット２ａ，２ｂ，２ｃを有しており、各印刷ユニットは、第１のウェブ１０の第１の側８ａに第１の多色印像を印刷するための第１のブランケット胴４ａ，４ｂ，４ｃと、関連した第２の版胴６ａ，６ｂ，６ｃとを有している。
【００１７】
さらに、印刷機１は、第２のウェブ１８の第２の側１６ｂに個々の第２の多色印像を印刷するための第２のブランケット胴１２ａ，１２ｂ，１２ｃと、関連した第２の版胴１４ａ，１４ｂ，１４ｃとを有している。図１及び図２に示したように、第１及び第２のウェブ１０，１８の走行方向で見て、第１の別の印刷ユニット２０がＢＢ形印刷ユニット２ｄの下流に配置されており、第２の別の印刷ユニット２２が第１の別の印刷ユニット２０の下流に配置されている。
【００１８】
図１に示した第１の運転モード（以下第１モードと呼ぶ）においては、第１及び第２のウェブ１０，１８が、ＢＢ形印刷ユニット２ａ，２ｂ，２ｃによって、第１のウェブ１０の個々の第１の側８ａと第２のウェブ１８の個々の第２の側１６ｂとに有利には３つの種々異なる色が同時に印刷されるようになっており、第１のウェブ１０が、第１の案内手段２４によって第１の別の印刷ユニット２０を回避するように案内され、第２の別の印刷ユニット２２において第１及び／又は第２の側８ｂに印刷される。すなわち、図１に示したように、第２のウェブ１８は、第１及び／又は第２の側１６ａ，１６ｂが印刷されるように第１の別の印刷ユニット２０に直接に通され、この後、第２の案内手段２６によって、第２の別の印刷ユニット２２を回避するように案内される。
【００１９】
本発明の有利な実施例の場合には、第１及び／又は第２の別の印刷ユニット２０，２２は、従来のＢＢ形印刷ユニットであると有利である。第１及び第２のウェブ１０，１８が互いに重なり合ってＢＢ形印刷ユニット２へ供給されこれらのウェブがこの後第１及び第２の別の印刷ユニット２０，２２へ供給されるような第１のモードの場合、図１に示されたくさび形又はキー形の印によって示したように、両方のウェブ１０，１８は、一方の側に４色の印像が、第２の側に単色の印像が同時に印刷される。各くさび形又はキー形の印は、ウェブに印刷された個々の色を示している。
【００２０】
本発明の別の実施例によれば、到来する第１及び第２のウェブが、図１に示したように互いに重なり合って配置されたＢＢ形印刷ユニット２ａ，２ｂ，２ｃに供給されるように、前記第１及び第２のウェブを変向及び案内するために、ＢＢ形印刷ユニット２ａ，２ｂ，２ｃの上流に第３の案内手段２８が配置されている。
【００２１】
図面に概略的に示された第１、第２及び第３の案内手段は、走行するウェブを案内するために従来の輪転印刷機において通常使用されているような公知のローラ又は空気バーであると有利であるが、本発明はローラ又は空気バーに制限されない。
【００２２】
図２に示した、以下“第２モード”と呼称する第２の運転モードの場合には、単一の第３のウェブ３０が有利には３つのＢＢ形印刷ユニット２ａ，２ｂ，２ｃを直接に通され、有利にはシアン、マゼンタ、黄及び黒の４色のうち３色から成る個々の多色印像がウェブの第１の側３２ａと第２の側３２ｂとに印刷される。最後のＢＢ形印刷ユニット２ｃを通過した後、単一の第３のウェブ３０は、第１の下流の印刷ユニット２０へ直接に供給され、ウェブの第１及び第２の側３２ａ，３２ｂに、有利にはシアン、マゼンタ、黄及び黒のうちの第４の色である付加的な色が印刷され、この後ウェブは第２の別の印刷ユニット２２へ供給され、必要であればウェブの第１及び第２の側３２ａ，３２ｂに付加的な色又はスポットカラーが印刷される。
【００２３】
本発明の有利な実施例の場合には第１及び／又は第２の別の印刷ユニット２０，２２はウェブの両側に印像を印刷するための公知のＢＢ形印刷ユニットであるが、第１及び／第２の別の印刷ユニット２０，２２は、ウェブの片面にのみ印刷するための公知の印刷ユニットであってもよい。本発明のこの実施例の場合、図３に示したように、第１モードの場合に印刷ユニット２ｄによって第１のウェブ１０の第１の側８ａ及び／又は第２のウェブ１８の第２の側１６ｂに第５の色、例えばスポットカラーを提供することができ、また、同じ印刷ユニット２ｄによって第２モードの場合に単一の第３のウェブ３０の個々の第１及び／又は第２の側３２ａ，３２ｂに第６の色、例えば第２の別のスポットカラー又はワニス又は同様のものを提供することができる。
【００２４】
第１のウェブ１０及び第２のウェブ１８は同じ幅を有していると有利であるが、第１のウェブ１０が第２のウェブ１８よりも小さな幅を有していても、第２のウェブ１８が第１のウェブ１０よりも小さな幅を有していてもよい。
【００２５】
さらに、ＢＢ形印刷ユニット２ａ，２ｂ，２ｃと第１及び第２の別の印刷ユニット２０，２２との配置は、第１及び第２のウェブ１０，１８と第３の単一のウェブ３２とが印刷ユニット２ａ，２ｂ，２ｃ，２０，２２をほぼ水平に通過するような図１及び図２に示したように配置に限定されない。同様に、ウェブ１０，１８がほぼ鉛直方向に走行するように（図示せず）印刷ユニット２ａ，２ｂ，２ｃ，２０，２２を配置することも可能である。
【００２６】
本発明の典型的な実施例によれば、第１及び／又は第２の別の印刷ユニット２０，２２は、第１モードの場合に第２のウェブ１８の第１の側１６ａ及び／又は第１のウェブ１０の第２の側８ａに、様々な印像を印刷するための公知のインプリント印刷ユニットとして形成することができる。このようなインプリント印刷ユニットは、従来技術において知られているので詳しく説明しない。
【００２７】
本発明の別の典型的な実施例によれば、ウェブ輪転印刷機１、有利には平版新聞印刷機において第１及び第２のウェブ１０，１８を同時に印刷する方法は、第１及び第２のウェブ１０，１８を重ね合わせて配置し、これらのウェブを、第１のウェブ１０の第１の側８ａに第１の多色印像を印刷しかつ第２のウェブ１８の第２の側１６ｂに第２の着色印像を印刷するために少なくとも１つの、有利には３つのＢＢ形印刷ユニット２ａ，２ｂ，２ｃへ供給し、第１及び第２のウェブ１０，１８を互いから分離し、第１のウェブ１０の第２の側８ｂに第３の印像を印刷し、第２のウェブ１８の第１の側１６ａに第４の印像を印刷する。本発明のこの実施例の場合には、第３及び第４の印像は、ＢＢ形印刷ユニット２ａ，２ｂ，２ｃ，２ｄの下流に配置された第１及び第２の別の印刷ユニット２０，２２において印刷されると有利であり、この場合、第１のウェブ１０は第１の別の印刷ユニット２０を回避するように案内され、第２のウェブ１８は第２の別の印刷ユニット２２を回避するように案内される。
【００２８】
本発明の思想又は本質的な特徴から逸脱すること無しに本発明を別の特定の形式で実施することができることは当業者に明らかである。
【００２９】
図示していない別の考えられる実施例によれば、図１に示したウェブ１０及び１８の走行方向を変更してよく、これにより、上に説明したようにウェブ１０，１８を互いに重ね合わせて配置して、多色印像が印刷される印刷ユニット２ｃ，２ｂ，２ｃへウェブを供給する前に、第１モードの場合に第１のウェブ１０は印刷ユニット２２へ供給されかつ第２のウェブ１８は印刷ユニット２０へまず供給されて一方の又は両方の側に個々に印刷される。
【図面の簡単な説明】
【図１】第１モードで２つの別個のウェブに４／１−印刷ジョブを印刷している時における、３つのＢＢ形印刷ユニットと２つの付加的な別の印刷ユニットとを有する本発明による平版ウェブ輪転印刷機を示す概略図である。
【図２】第２モードで単一のウェブに付加的なスポットカラー又はハウスカラーを含む４／４−印刷ジョブを印刷している時における、図１の印刷機を示す図である。
【図３】本発明によるウェブ輪転印刷機の別の実施例を示す図である。
【符号の説明】
１  輪転印刷機、  ２ａ，２ｂ，２ｃ，２ｄ  ＢＢ形印刷ユニット、  ４ａ，４ｂ，４ｃ，４ｄ  第１のブランケット胴、  ６ａ，６ｂ，６ｃ，６ｄ  第１の版胴、  ８ａ  第１のウェブの第１の側、  ８ｂ  第１のウェブの第２の側、  １０  第１のウェブ、  １２ａ，１２ｂ，１２ｃ，１２ｄ  第２のブランケット胴、  １４ａ，１４ｂ，１４ｃ，１４ｄ  第２の版胴、  １６ａ  第２のウェブの第１の側、  １６ｂ  第２のウェブの第２の側、  １８  第２のウェブ、  ２０  第１の別の印刷ユニット、  ２２  第２の別の印刷ユニット、  ２４  第１の案内手段、  ２６  第２の案内手段、  ２８  第３の案内手段、  ３０  第３の単一のウェブ、  ３２ａ  第３の単一のウェブの第１の側、  ３２ｂ  第３の単一のウェブの第２の側
【図１】
0004327280.tif 000002
【図２】
0004327280.tif 000003
【図３】
0004327280.tif 000004